(57)【要約】光情報記録媒体の高密度化に伴い、ディスク構成が複雑化し、記録層の多層化により、製造マージン、コストが課題となる。基板と、基板上に形成された記録光の照射により光透過率の変化する材料からなる光透過層を用いることで、情報の記録・再生が可能となり、低コストで高密度な光情報記録媒体を容易に作成可能となる。【特許請求の範囲】
【請求項１】
基板と、前記基板上に形成された光透過層とを有し、
前記光透過層は、記録光を照射されると透過率が変化することを特徴とする光情報記録媒体。
【請求項２】
前記基板と前記光透過層との間に光吸収層をさらに有することを特徴とする請求項１に記載の光情報記録媒体。
【請求項３】
記録光の照射による前記光透過層の透過率変化が、不可逆変化であることを特徴とする請求項１または２に記載の光情報記録媒体。
【請求項４】
記録光の照射による前記光透過層の透過率変化が、再生光又は記録再生光の透過を下げる方向に変化することを特徴とする請求項１〜３のいずれかに記載の光情報記録媒体。
【請求項５】
前記光透過層が樹脂シートを含んで構成されることを特徴とする請求項１〜４のいずれかに記載の光情報記録媒体。
【請求項６】
前記樹脂シートが、ポリカーボネート樹脂、又はアクリル樹脂、又はポリオレフィン樹脂から構成されることを特徴とする請求項５に記載の光情報記録媒体。
【請求項７】
前記光透過層が、前記樹脂シートを前記基板に接着するための接着樹脂をさらに有することを特徴とする請求項５または６に記載の光情報記録媒体。
【請求項８】
前記接着樹脂が、ＵＶ硬化性樹脂を含んで構成されることを特徴とする請求項７に記載の光情報記録媒体。
【請求項９】
前記接着樹脂が、アクリル系粘着剤で構成されることを特徴とする請求項７に記載の光情報記録媒体。
【請求項１０】
前記光透過層が１層以上のＵＶ硬化性樹脂からなることを特徴とする請求項１に記載の光情報記録媒体。
【請求項１１】
前記光透過層の透過率変化領域が、ユーザデータ領域以外の領域に少なくとも１箇所以上構成されることを特徴とする請求項１に記載の光情報記録媒体。
【請求項１２】
前記透過率変化領域が、ユーザデータ領域よりも内側又は外側、又は内外両方に構成されることを特徴とする請求項１１記載の光情報記録媒体。
【請求項１３】
基板と前記基板上に形成された光透過層とを有する光情報記録媒体の記録再生方法であって、
前記光透過層の上部より変調した記録光を照射し、前記光透過層の透過率を変化させることにより情報を記録し、前記透過率の変化から情報を再生することを特徴とする光情報記録媒体の記録再生方法。
【請求項１４】
前記光透過層の透過率変化を不可逆に変化させることにより情報を記録することを特徴とする請求項１３記載の光情報記録媒体の記録再生方法。
【請求項１５】
前記光透過層の透過率変化領域は、ユーザデータ領域以外の少なくとも１箇所以上に設けられていることを特徴とする請求項１３または１４に記載の光情報記録媒体の記録再生方法。
【請求項１６】
光透過層の上部より変調した記録光を照射し、前記光透過層の透過率を変化させることにより情報を記録し、前記透過率の変化から情報を再生することを特徴とする光情報記録媒体の記録再生装置。
【請求項１７】
基板と、情報記録層を有する第１記録領域と、光透過層を有する第２記録領域とを有する光情報記録媒体の記録再生装置であって、
記録光を前記第１記録領域と前記第２記録領域とに照射可能な光照射手段と、
前記光照射手段の記録モードを前記第１記録領域と前記第２記録領域とで切り替える切り替え手段とを有しており、
前記第２記録領域では、前記光透過層の上部より変調した記録光を照射し、前記光透過層の透過率を変化させることにより情報を記録し、前記透過率の変化から情報を再生することを特徴とする光情報記録媒体の記録再生装置。
【発明の詳細な説明】
【技術分野】
【０００１】  本発明は、情報の記録・再生が行える光情報記録媒体、光情報記録媒体の記録再生方法および記録再生装置に関する。
【背景技術】
【０００２】  近年、情報記録の分野では様々な光情報記録に関する研究が進められている。
この光情報記録は高密度化が可能であり、また、非接触で記録・再生が行え、それを安価に実現できる方式として幅広い用途での応用が実現されつつある。
中でも、デジタル・バーサタイル・ディスク（ＤＶＤ）は、音声だけでなく映画等の動画を情報として記録、再生できる大容量の光ディスクであり、急速に市場に普及してきた。
現在ＤＶＤに代表される光ディスクは、厚さ１．２ｍｍの透明樹脂基板に情報記録層を設け、それをオーバーコートによって保護した構造、あるいは１．２ｍｍの透明樹脂基板の一方もしくは両方に情報記録層を設け、それら２枚を貼り合わせた構造をもっている。
さらに近年では、高密度化の実現のために、レーザ波長を短くし、かつ対物レンズの開口数（ＮＡ）の大きな対物レンズを使用する光ディスクが提案されている（例えば、特許文献１、２参照）。
光ディスクの記録マークは光スポットの大きさに比例し、光スポットサイズが小さくなると、記録再生できる密度が小さくなり、高密度化が図れる。光スポットサイズは、照射レーザ光の波長をλとするとλ／ＮＡによって決まる。すなわち、高密度化にはＮＡを大きくすれば良いことになる。
しかし、ＮＡは、ディスクの傾きに対して大きく関与し、ＮＡが高くなることにより、ディスクの傾きに対するマージンが小さくなる。このマージンは、光透過層の厚さを薄くすることによって、広げることが可能となる。また、光透過層の厚さを薄くする方法として、キャスティング法で作製された樹脂フイルムを、ＵＶ接着剤やアクリル粘着剤によって、情報記録層上に貼り合わせる方法が提案されている。
図８に、従来の光情報記録媒体１０の構成図を示す。光情報記録媒体１０は、情報記録用の溝が形成された基板１１とその溝上に情報記録層１２が形成され、接着層１３で情報記録層１２と樹脂フイルムからなる光透過層１４を接着している。情報記録層１２を、例えば１回のみ記録可能とすることでライトワンス記録媒体が作成できる。このライトワンス記録媒体は、情報記録層１２の反射率をレーザ光によって変化させることにより実現している。また、光透過層１４の厚さを薄くすることによって、チルトマージンが広がり、高密度記録を達成できる。
さらに、近年、セキュリティ上の問題から、光情報記録媒体に個々の識別情報を記録することが行われている（例えば、特許文献３参照）。メディアＩＤなどの個別情報を光情報記録媒体に追加記録する場合、ディスクの内周側の半径２２．３ｍｍから２３．５ｍｍ（ＤＶＤ規格の場合）の範囲に、ＢＣＡ（Ｂｕｒｓｔ  Ｃｕｔｔｉｎｇ  Ａｒｅａ）と呼ぶバーコード状のストライプ列を高パワーのレーザで追記形成することによって、情報記録層１２を破壊し、ディスクＩＤなどを記録している。ＢＣＡに関しては、ＤＶＤのＲＯＭディスクのように反射膜にアルミディスクを持つディスクへも適用可能であり、さまざまな用途が提案されている。容量としては、１８８バイトと、記録データに比べて極めて小容量で、ストライプの間隔が１０μｍ以上でも、ディスク１回転で十分収まるように構成されている。また、ＢＣＡによって追記される個別情報は、小容量であっても用途上重要な情報となるので、改ざんが困難であることが必要である。
【特許文献１】特開平８−２３５６３８号公報
【特許文献２】特開平１０−２８３６８３号公報
【特許文献３】特開平１１−１６２０３１号公報
【発明の開示】
【０００３】  通常、ライトワンス記録を実現しようとすると、ライトワンス用の記録層を設けなくてはならない。この記録層は、相変化材料で構成する方法と有機色素で構成する方法がある。
相変化材料を用いた場合は、反射膜、保護膜、相変化膜などをスパッタリング法により積層して構成する。この方法には、以下の課題がある。
（１）記録層が多層構造になるため、作製が難しい
（２）成膜装置、材料コストが高くなる
有機色素を用いた場合は、有機色素をスピンコート法によってディスク上に塗布し、その後、スパッタリング法によって反射膜を構成する。この方法には、以下の課題がある。
（１）スピンコート法による膜厚制御が難しい
（２）材料コストが高い
さらに、ＢＣＡストライプに関して、ＢＣＡストライプはトラッキングオフ状態で読み取ることを前提としており、光ヘッドや光ディスク装置機構の誤差マージンの関係から、長さを短くすることができない。したがって、ＢＣＡのストライプで個別情報を記録しようとすると、記録可能な領域から多くの割合の面積を、ＢＣＡストライプの記録に割り当てる必要があるため、記録に使える面積が減り、特に高密度記録可能な記録膜にあっては、記録容量が著しく減ってしまうという問題点があった。
本発明は、従来の問題に鑑みて提案されたものであり、低コストで高密度な光情報記録媒体及び記録再生方法を提供することを目的とする。
上記課題を解決するための本発明の光情報記録媒体は、基板と基板上に形成された光透過層とを有し、光透過層は、記録光を照射されると透過率が変化することを特徴とする。
これにより、従来の情報記録層を設けずに情報を記録・再生することが可能となり、低コストで容易に媒体を作成可能となる。
また、本発明の光情報記録媒体は、基板と光透過層との間には光吸収層を構成することが好ましい。従来よりもハイパワーな記録光が必要なため、その熱を吸収させるためである。
本発明の光情報記録媒体においては、記録光の照射による光透過層の透過率変化が、不可逆変化であり、再生光又は記録再生光の透過を下げる方向に変化することを特徴とする。これにより、ライトワンス記録に適した媒体となる。
本発明の光情報記録媒体においては、光透過層の材料がポリカーボネート樹脂、又はアクリル樹脂、又はポリオフィン樹脂から構成される樹脂シートを含んで構成されることが好ましい。
また、光透過層が樹脂シートを接着するための接着樹脂をさらに有することが好ましい。この場合は、接着樹脂として記録光によって透過率が低下する材料を選ぶことができる。
さらに、接着樹脂の材料が、ＵＶ硬化性樹脂、またはアクリル系粘着剤で構成されることが好ましい。
また、光透過層が１層以上のＵＶ硬化性樹脂からなることが好ましい。この場合は、低コストで高密度な光情報記録媒体を容易に作成可能となる。
さらに、本発明の光情報記録媒体においては、透過率変化領域が、ユーザデータ領域以外の領域に少なくとも１箇所以上構成されることを特徴としており、また、透過率変化領域が、ユーザデータ領域よりも内側又は外側、又は内外両方に構成されることを特徴とする。これにより、ＢＣＡ領域の記録にも対応可能となる。
上記課題を解決するための本発明の光情報記録媒体の記録・再生方法は、光透過層の上部より変調した記録光を照射し、光透過層の透過率を変化させることにより情報を記録し、その透過率の変化から情報を再生することを特徴とする。さらに光透過層の透過率変化を不可逆に変化させ、その透過率変化領域は、ユーザデータ領域以外の少なくとも１箇所以上の領域において記録、再生されることを特徴とする。これにより、記録層を設けずに情報を記録・再生することが可能となり、低コスト化を図ることができる。
上記課題を解決するための本発明の光情報記録媒体の記録・再生装置は、光透過層の上部より変調した記録光を照射し、光透過層の透過率を変化させることにより情報を記録し、透過率の変化から情報を再生することを特徴とする。
本発明の光情報記録媒体の記録・再生装置は、基板と、情報記録層を有する第１記録領域と、光透過層を有する第２記録領域とを有する光情報記録媒体に用いられ、記録光を第１記録領域と第２記録領域とに照射可能な光照射手段と、光照射手段の記録モードを第１記録領域と第２記録領域とで切り替える切り替え手段とを有している。これにより、複数の記録領域を有する光情報記録媒体に対して一つの装置で記録・再生ができるため、低コスト化を図ることができる。
以上説明したように、本発明の光情報記録媒体によれば、情報記録層を必要とせずに情報の記録・再生が可能なため、低コストで高密度な媒体を容易に量産可能である。
【図面の簡単な説明】
【０００４】
【図１】本発明による光情報記録媒体の構成図
【図２】本発明による光情報記録媒体の信号評価図
【図３】（ａ）本発明による光情報記録媒体のディスクＩＤ概略図、（ｂ）本発明による光情報記録媒体の信号評価図
【図４】本発明による光情報記録媒体のディスクＩＤ概略図
【図５】本発明による光情報記録媒体の記録方法概略図
【図６】本発明による光情報記録媒体のディスクＩＤの記録方法概略図
【図７】本発明の変形例による光情報記録媒体の構成図
【図８】従来の光情報記録媒体の構成図
【符号の説明】
【０００５】  １０  光情報記録媒体
１１  基板
１２  情報記録層
１３  接着層
１４  光透過層
２０  光情報記録媒体
２１  基板
２２  光吸収層
２３  光透過層
４１、５１  ユーザデータ領域
４２、５２  ユーザデータ以外のデータ領域
４３  記録データ
５２  光情報記録媒体
６１  光情報記録媒体
６２  光ピックアップ
６３  モータ
６４  駆動部
６５  ドライブコントローラ
６６  ピックアップ制御部
６７  信号処理部
６８  書き込み情報
７１  光情報記録媒体
７２  光ピックアップ
７３  モータ
７４  駆動部
７５  ドライブコントローラ
７６  ピックアップ制御部
７７  信号処理部
７８  書き込み情報
７９  ディスクＩＤ信号処理部
８０  ディスクＩＤ書込み情報
【発明を実施するための最良の形態】
【０００６】  本発明の光情報記録媒体は、基板上に光透過層を有し、情報の記録は、記録光を照射することにより光透過層の透過率が変化することを利用して行われる。従来あった情報記録層を設けずに情報を記録・再生することが可能となり、低コストで容易に媒体を作成可能となる。光透過層は、カバー層（シート）と接着樹脂からなる接着層から成り、透過率が変化するのは、接着層部分においてである。
光透過層の透過率を低下させて情報を記録する方法は、ユーザデータ以外のデータ（媒体の識別情報など）を記録する領域に特に適しているが、ユーザデータを記録する領域にも適用できる。
また、本発明の光情報記録媒体には、基板と光透過層との間には光吸収層が設けられてもよい。光吸収層は従来の反射膜の役割も果たし、従来よりもハイパワーな記録光を使用することにより発生する熱を吸収し、余分な熱の作用を低減する。
以下、図面を参照しながら本発明の実施形態について説明する。
［第１実施形態］
図１に、本発明の一実施形態としての光情報記録媒体２０を示す。光情報記録媒体２０は、光透過層の透過率を変化させることでライトワンス記録を行うものである。つまり、光情報記録媒体２０は従来の情報記録層を有していない。
光情報記録媒体２０において、溝又はピット、又は溝とピットを形成した基板２１の一面に光吸収層２２を設け、さらに光吸収層２２の一面に光透過層２３を設けている。
基板２１として、ポリカーボネート樹脂を用いて射出成型し、スパイラル状の溝を持った直径１２０ｍｍ、中心径１５ｍｍのポリカーボネート基板を作製した。光吸収層２２は、基板２１上にスパッタリング装置によって、２０ｎｍの厚さになるように作製した。その後、高ＮＡレンズを用いた高密度記録に対応するため、厚さ１００μｍの光透過層２３を形成した。光透過層２３は、ポリアクリレート系の樹脂接着剤を厚さ２５μｍの接着層として用いて、ポリカーボネート樹脂材料からなる厚さ７５μｍのシートを、光吸収層２２が成膜された上に接着することで作製した。
この際の接着剤として、アクリル酸エステル共重合体と光硬化成分の架橋物からなる接着剤を用いる。この時、アクリル酸エステル共重合体とは、アクリル酸エステル誘導体を主成分とした共重合体を示しており、他のモノマーを共重合してもよい。例えば、アクリル酸エステルとして、アクリル酸メチルやアクリル酸メチルのメチル基をエチル基・ブチル基・イソブチル基などに変更してもよく、これらを数種類組み合わせて作製できる。さらに、アクリル酸エステルと共重合される他のモノマーとして、例えば、アクリル酸、クロトン酸、マレイン酸、アクリロニトリル、酢酸ビニル等を用いてもよい。このときに、接着剤の硬化成分としては、分子内に不飽和基を有し、紫外線硬化がおこる平均分子量が２万以下のオリゴマーやモノマーを用いる。例えば、アクリレート系の材料、中でもトリメチロールプロパントリアクリレート、ポリウレタンアクリレート、ポリエステルアクリレート、ポリエーテルアクリレート、エポキシアクリレート等など用いることができる。光情報記録媒体２０では、アクリル酸メチルとトリメチロールプロパントリアクリレートを用いた接着剤を使用した。
【実施例１】  光情報記録媒体２０を用いて、記録光の照射によって光透過層の透過率を変化させることによって、情報の記録が可能であることを確かめるための実験を行った。
簡易に記録動作を確認するため、光情報記録媒体２０に、遮光となる金属のマスクを用いて、記録レーザの光が当たらない領域を意図的に作製した。その後、光情報記録媒体２０に全体的に波長２５０ｎｍの記録用ＵＶ光を照射し、波長４０５ｎｍのレーザを用いて再生した。図２は、そのときの反射光量の差をオシロスコープで測定した結果を示している。光情報記録媒体２０に、記録用ＵＶ光を照射すると、マスク領域と遮光していない領域とで状態の変化が見られる。これは、光透過層２３の透過率の違いによって生じている。透過率変化は、約２％以上あれば本発明を実施可能である。遮光していない領域では、マスク領域に比べて、再生レーザ光の反射光量が低下している。つまり、遮光していない領域が図におけるＬｏｗであり、マスク領域が図におけるＨｉｇｈである。
この透過率の変化は、遮光していない領域では、光透過層２３に熱的ダメージが与えられることで生じている。特に、記録光による熱が光吸収層２２によって吸収されることで熱的ダメージが大きくなっている。この時、遮光していない領域では、架橋した分子の切断が起こっていると想定できる。詳しくは光透過層２３の樹脂接着剤の成分である、アクリル酸エステル共重合体中のカルボキシル基や水酸基などの官能基と、不飽和基（例えばアクリロイル基）の架橋がレーザ光により、切断されたため、透過率の変化が起こる。
従って、従来の光情報記録媒体１０にあるような特別な記録情報を蓄える層を用いることなく、光情報記録媒体に記録が可能となる。
【実施例２】  図２で説明したように記録した本発明の光情報記録媒体２０において、透過率の変化が不可逆なものであることを確かめるための実験を行った。この試験において、アレニウスプロットにより光情報記録媒体２０が約１０〜２０年経過した場合と等価になるように各媒体Ｎｏ．１〜３の条件を設定しており、９０℃８０％の環境下で１００時間放置した。
【表１】
2005045818.tif 000002
表１は、耐候性試験前後での媒体２０の反射率の変化を示している。反射率Ｈｉは、図２で示した透過率が変化していない領域の反射率、Ｌｏｗは、透過率を変化させた領域の反射率を表している。表１より、試験前と後で、各媒体のＨｉとＬｏｗの値はほとんど変化していないことがわかる。このことより、光透過層２３の透過率の低下は、不可逆な変化で起こっており、ライトワンス記録となることがわかる。
この実施形態の説明では記録用ＵＶ光を記録に用いたが、ＵＶ光はマスクで微細な情報を記録することは困難を要する。そのため、以上の実施形態は、数μｍの程度の大きさの情報記録に適している。
［第２実施形態］
図３（ａ）、（ｂ）に、光情報記録媒体２０に対して、マスクなしで微細なマークを記録した結果を示す。図３（ａ）は、光情報記録媒体２０にデータを記録した状態を模式的に表したものである。ユーザデータ領域４１の内周側には、ユーザデータ以外のデータ（例えば個別情報）を記録する領域４２が形成されている。図においては、領域４２に、マークからなる記録データ４３が記録されている。光透過層２３として、ポリカーボネートシートとポリアクリレート系の樹脂接着剤を用いた。このとき、ポリアクリレート系の樹脂接着剤の透過率の波長依存性が４００ｎｍ付近から急激に透過率が低下するように、アクリレートの官能基、重合度を変更している。図３（ｂ）は、記録用レーザ波長４０５ｎｍを用いて、線速０．５ｍ／ｓ、記録パワー１０ｍＷの記録条件により、光情報記録媒体２０にマーク長５ｕｍの記録データ４３を記録した後、線速５ｍ／ｓ、再生パワー０．３ｍＷで、記録データ４３を再生したオシロスコープの波形である。波形から、記録と再生で同じレーザ光を使用できることがわかる。このときのキャリアとノイズ比Ｃ／Ｎは、６０ｄＢと十分な信号を得ることができた。
マークからなる記録データは、ユーザデータ領域４１にも同様に記録・再生できる。
本実施形態では、光透過層２３の材料は、ポリカーボネートシートとポリアクリレート系の樹脂接着剤の組み合わせを用いたが、これに限定されるわけではなく、ポリカーボネートシートの変わりに、アクリル系樹脂シート、ポリオレフィン系樹脂シートとの組み合わせにおいても同様の結果が得られる。
また、接着剤においても、ポリアクリレート系に限定されるわけではなく、ＵＶ硬化樹脂、又はＵＶ硬化樹脂を含む接着剤を用いても同様の結果が得られた。
［第３実施形態］
さらに、光透過層２３をスピンコート法によって、ＵＶ樹脂を用いて１００μｍの膜厚で作製したところ、図３（ｂ）で得られた変調率よりも若干低下するが、同様の結果が得られた。これは、ＵＶ樹脂の厚膜が熱に対して安定性が良いため、シートと接着剤で構成した光透過層２３よりも透過率の変化が小さくなるためである。
また、このＵＶ樹脂の上にＵＶ樹脂からなるハードコート層を構成しても結果は同じであった。
［第４実施形態］
本発明は、光透過層２３によって、記録再生が確立できることから、従来の光情報記録媒体１０上に、光透過層２３を設けるだけで、ライトワンス記録とリライタブル記録が可能となる。ここでいう従来の光情報記録媒体とは、ユーザデータ領域に相変化記録層等からなる情報記録層を有する構造である。そのためメディアＩＤや、他のメーカ独自情報などは、ユーザデータ領域以外の光透過層２３の透過率を変化させてライトワンス記録することになる。ここで、光吸収層は、本発明におけるハイパワーな記録光に対応するため設けたが、従来の反射膜の役割も果たしている。
図４に、本実施形態の光情報記録媒体５０の各領域の概略図を示す。光記録情報媒体５０は、ユーザデータ領域５１と、ユーザデータ以外のデータを記録するための領域５２を有している。ユーザデータ領域５１には情報記録層や光透過層が形成されている。領域５２は、記録媒体５０のＲ１からＲ２の範囲であり、少なくとも光透過層が形成されている。領域５２に記録する際の記録レーザ光の記録条件は、線速度１ｍ／ｓ、ボトムパワー０．１ｍＷ、バイアスパワー２ｍＷとし、記録のピークパワーを１１ｍＷとした。このように大きなパワーを用いることで、光透過層の透過率を変化させた。ユーザデータ領域５１の記録は、線速度５ｍ／ｓ、ボトムパワー０．３ｍＷ、バイアスパワー３ｍＷ、記録ピークパワー６．２ｍＷとなっていた。そのため、相変化記録層では相変化が生じたが、光透過層では透過率は変化しなかった。このように、記録再生装置のモードを領域ごとに切り換えることによって各領域後に記録条件を異ならせた。
この記録情報は、個別情報を想定した。個別情報は、ディスク１枚ずつに固有もしくはほぼ固有の情報と光ディスクに共通する基本情報などの集合であるが、ここではディスクＩＤを個別情報の代表として説明する。ディスクＩＤは、光ディスク上に記録する映像、音声、データなど著作権を保護する目的で、他の鍵情報などと併せて用いて、例えば１回コピー可能な著作物を、ディスクＩＤなどに基づいて光ディスク１枚ごとに異なった、暗号化記録するために使うものである。
通常の記録レーザ光を用いて、その記録条件のみを変更することで記録が可能な本発明の光情報記録媒体２０は、従来のライトワンスの記録と違い、高密度化が可能となるため、同じデータ量であれば、使用する領域が少なくてよい。従って、ユーザデータ領域５１をより多く取れることから、例えばユーザデータ領域５１が少ない小径な記録媒体でも対応が可能となる。また、ディスクＩＤなどの重要な情報を記録する場合、データの破損など信頼性の観点から、外周領域に記録領域を構成することも考えられ、本発明の光情報記録媒体２０では、記録領域が少なくてすむため、内周・外周領域両方に配置することも可能となる。
［第５実施形態］
図５に、本発明の光情報記録媒体６１に記録する際の記録再生装置の概略図を示す。光情報記録媒体６１は、例えば第１実施形態や第２実施形態で示したような情報記録層を有さないライトワンス媒体である。ドライブコントローラ６５により、駆動部６４、ピックアップ制御部６６が制御され、書き込み情報６８が信号処理部６７で変調される。その後、光ピックアップ６２により、レーザが照射され記録をすることができる。このとき、光透過層２３の透過率を変化させるため、従来よりもハイパワーな記録光で書き込みを行うことにより、記録が可能となる。再生時は、光ピックアップ６２により、トラッキングを行いながら、再生信号を信号処理部６７で復調し、再生情報を取り出す。
［第６実施形態］
図６に、本発明の光情報記録媒体７１にディスクＩＤを記録する際の記録再生装置の概略図を示す。光情報記録媒体７１は、例えば第４実施形態で示したような情報記録層を有するリライタブル媒体である。ディスクＩＤ書き込み情報８０が、ＩＤ信号処理部７９で変調され、光情報記録媒体７１に記録される。このとき、信号処理部７７とは別のＩＤ専用の信号処理部７９により信号を処理する。図示しない制御部がディスクＩＤ信号処理部７９と信号処理部７７を制御することで記録モードを切り替え可能である。
本発明の記録再生装置によれば、図４に示したような異なる記録方法が用いられる複数の記録領域を有する場合に、領域ごとに記録モードを切り替え可能であり、媒体作成の低コスト化に貢献する。
［第７実施形態］
図７において、基板２１に直接光透過層２３が形成された光情報記録媒体２０の構造を示す。この場合、吸収層が省略されているが、本発明の有利な効果は十分に得られる。
［他の実施形態］
以上、本発明の実施形態について例をあげて説明したが、本発明は、上記実施形態に限定されず、本発明の技術的思想に基づき他の実施形態に適用することができる。例えば、記録再生媒体、ライトワンス媒体、ＲＯＭ媒体等を問わず、ライトワンス記録を行うことができる。
【産業上の利用可能性】
【０００７】  本発明にかかる光情報記録媒体、光情報記録媒体の記録再生方法および記録再生装置は、情報記録層を使用しない情報の記録・再生に対応可能なため、低コストで高密度な光情報記録媒体や光情報記録媒体の記録再生方法等に有用である。
【図１】
2005045818.tif 000003
【図２】
2005045818.tif 000004
【図３】
2005045818.tif 000005
【図４】
2005045818.tif 000006
【図５】
2005045818.tif 000007
【図６】
2005045818.tif 000008
【図７】
2005045818.tif 000009
【図８】
2005045818.tif 000010
【手続補正書】
【提出日】平成17年9月6日(2005.9.6)
【手続補正００１】
【補正対象書類名】特許請求の範囲
【補正対象項目名】全文
【補正方法】変更
【補正の内容】
【書類名】特許請求の範囲
【請求項１】基板と、前記基板上に形成された光透過層と、光吸収層とを有し、
前記光透過層は、記録光を照射されると透過率が不可逆に変化することにより、情報の記録を行うことを特徴とする光情報記録媒体。
【請求項２】（削除）
【請求項３】（削除）
【請求項４】記録光の照射による前記光透過層の透過率変化が、再生光又は記録再生光の透過を下げる方向に変化することを特徴とする請求項１に記載の光情報記録媒体。
【請求項５】前記光透過層が樹脂シートを含んで構成されることを特徴とする請求項１または４に記載の光情報記録媒体。
【請求項６】前記樹脂シートが、ポリカーボネート樹脂、又はアクリル樹脂、又はポリオレフィン樹脂から構成されることを特徴とする請求項５に記載の光情報記録媒体。
【請求項７】前記光透過層が、前記樹脂シートを前記基板に接着するための接着樹脂をさらに有することを特徴とする請求項５または６に記載の光情報記録媒体。
【請求項８】前記接着樹脂が、ＵＶ硬化性樹脂を含んで構成されることを特徴とする請求項７に記載の光情報記録媒体。
【請求項９】前記接着樹脂が、アクリル系粘着剤で構成されることを特徴とする請求項７に記載の光情報記録媒体。
【請求項１０】前記光透過層が１層以上のＵＶ硬化性樹脂からなることを特徴とする請求項１に記載の光情報記録媒体。
【請求項１１】前記光透過層の透過率変化領域が、ユーザデータ領域以外の領域に少なくとも１箇所以上構成されることを特徴とする請求項１に記載の光情報記録媒体。
【請求項１２】前記透過率変化領域が、ユーザデータ領域よりも内側又は外側、又は内外両方に構成されることを特徴とする請求項１１記載の光情報記録媒体。
【請求項１３】基板と前記基板上に形成された光透過層とを有する光情報記録媒体の記録再生方法であって、
前記光透過層の上部より変調した記録光を照射し、前記光透過層の透過率を変化させることにより情報を記録し、前記透過率の変化から情報を再生することを特徴とする光情報記録媒体の記録再生方法。
【請求項１４】前記光透過層の透過率変化を不可逆に変化させることにより情報を記録することを特徴とする請求項１３記載の光情報記録媒体の記録再生方法。
【請求項１５】前記光透過層の透過率変化領域は、ユーザデータ領域以外の少なくとも１箇所以上に設けられていることを特徴とする請求項１３または１４に記載の光情報記録媒体の記録再生方法。
【請求項１６】光透過層の上部より変調した記録光を照射し、前記光透過層の透過率を変化させることにより情報を記録し、前記透過率の変化から情報を再生することを特徴とする光情報記録媒体の記録再生装置。
【請求項１７】基板と、情報記録層を有する第１記録領域と、光透過層を有する第２記録領域とを有する光情報記録媒体の記録再生装置であって、
記録光を前記第１記録領域と前記第２記録領域とに照射可能な光照射手段と、
前記光照射手段の記録モードを前記第１記録領域と前記第２記録領域とで切り替える切り替え手段とを有しており、
前記第２記録領域では、前記光透過層の上部より変調した記録光を照射し、前記光透過層の透過率を変化させることにより情報を記録し、前記透過率の変化から情報を再生することを特徴とする光情報記録媒体の記録再生装置。
【請求項１８】前記光透過層が、記録光照射により光透過層材料の分子を切断することによって透過率の変化を発生させることを特徴とする請求項５〜７のいずれかに記載の光情報記録媒体。
【請求項１９】前記光透過層の分子の切断が、熱衝撃によって起こることを特徴とする請求項１８に記載の光情報記録媒体。
【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
基板と、前記基板上に形成された光透過層と、光吸収層とを有し、
前記光透過層は、記録光を照射されると透過率が不可逆に変化することにより、情報の記録を行うことを特徴とする光情報記録媒体。
【請求項２】
記録光の照射による前記光透過層の透過率変化が、再生光又は記録再生光の透過を下げる方向に変化することを特徴とする請求項１に記載の光情報記録媒体。
【請求項３】
前記光透過層が樹脂シートを含んで構成されることを特徴とする請求項１または２に記載の光情報記録媒体。
【請求項４】
前記樹脂シートが、ポリカーボネート樹脂、又はアクリル樹脂、又はポリオレフィン樹脂から構成されることを特徴とする請求項３に記載の光情報記録媒体。
【請求項５】
前記光透過層が、前記樹脂シートを前記基板に接着するための接着樹脂をさらに有することを特徴とする請求項３または４に記載の光情報記録媒体。
【請求項６】
前記接着樹脂が、ＵＶ硬化性樹脂を含んで構成されることを特徴とする請求項５に記載の光情報記録媒体。
【請求項７】
前記接着樹脂が、アクリル系粘着剤で構成されることを特徴とする請求項５に記載の光情報記録媒体。
【請求項８】
前記光透過層が１層以上のＵＶ硬化性樹脂からなることを特徴とする請求項１に記載の光情報記録媒体。
【請求項９】
前記光透過層の透過率変化領域が、ユーザデータ領域以外の領域に少なくとも１箇所以上構成されることを特徴とする請求項１に記載の光情報記録媒体。
【請求項１０】
前記透過率変化領域が、ユーザデータ領域よりも内側又は外側、又は内外両方に構成されることを特徴とする請求項９記載の光情報記録媒体。
【請求項１１】
基板と前記基板上に形成された光透過層とを有する光情報記録媒体の記録再生方法であって、
前記光透過層の上部より変調した記録光を照射し、前記光透過層の透過率を変化させることにより情報を記録し、前記透過率の変化から情報を再生することを特徴とする光情報記録媒体の記録再生方法。
【請求項１２】
前記光透過層の透過率変化を不可逆に変化させることにより情報を記録することを特徴とする請求項１１記載の光情報記録媒体の記録再生方法。
【請求項１３】
前記光透過層の透過率変化領域は、ユーザデータ領域以外の少なくとも１箇所以上に設けられていることを特徴とする請求項１１または１２に記載の光情報記録媒体の記録再生方法。
【請求項１４】
光透過層の上部より変調した記録光を照射し、前記光透過層の透過率を変化させることにより情報を記録し、前記透過率の変化から情報を再生することを特徴とする光情報記録媒体の記録再生装置。
【請求項１５】
基板と、情報記録層を有する第１記録領域と、光透過層を有する第２記録領域とを有する光情報記録媒体の記録再生装置であって、
記録光を前記第１記録領域と前記第２記録領域とに照射可能な光照射手段と、
前記光照射手段の記録モードを前記第１記録領域と前記第２記録領域とで切り替える切り替え手段とを有しており、
前記第２記録領域では、前記光透過層の上部より変調した記録光を照射し、前記光透過層の透過率を変化させることにより情報を記録し、前記透過率の変化から情報を再生することを特徴とする光情報記録媒体の記録再生装置。
【請求項１６】
前記光透過層が、記録光照射により光透過層材料の分子を切断することによって透過率の変化を発生させることを特徴とする請求項３〜５のいずれかに記載の光情報記録媒体。
【請求項１７】
前記光透過層の分子の切断が、熱衝撃によって起こることを特徴とする請求項１６に記載の光情報記録媒体。
【手続補正２】
【補正対象書類名】明細書
【補正対象項目名】全文
【補正方法】変更
【補正の内容】
【発明の詳細な説明】
【技術分野】
【０００１】
本発明は、情報の記録・再生が行える光情報記録媒体、光情報記録媒体の記録再生方法および記録再生装置に関する。
【背景技術】
【０００２】
近年、情報記録の分野では様々な光情報記録に関する研究が進められている。
【０００３】
この光情報記録は高密度化が可能であり、また、非接触で記録・再生が行え、それを安価に実現できる方式として幅広い用途での応用が実現されつつある。
【０００４】
中でも、デジタル・バーサタイル・ディスク（ＤＶＤ）は、音声だけでなく映画等の動画を情報として記録、再生できる大容量の光ディスクであり、急速に市場に普及してきた。
【０００５】
現在ＤＶＤに代表される光ディスクは、厚さ１．２ｍｍの透明樹脂基板に情報記録層を設け、それをオーバーコートによって保護した構造、あるいは１．２ｍｍの透明樹脂基板の一方もしくは両方に情報記録層を設け、それら２枚を貼り合わせた構造をもっている。
【０００６】
さらに近年では、高密度化の実現のために、レーザ波長を短くし、かつ対物レンズの開口数（ＮＡ）の大きな対物レンズを使用する光ディスクが提案されている（例えば、特許文献１、２参照）。
【０００７】
光ディスクの記録マークは光スポットの大きさに比例し、光スポットサイズが小さくなると、記録再生できる密度が小さくなり、高密度化が図れる。光スポットサイズは、照射レーザ光の波長をλとするとλ／ＮＡによって決まる。すなわち、高密度化にはＮＡを大きくすれば良いことになる。
【０００８】
しかし、ＮＡは、ディスクの傾きに対して大きく関与し、ＮＡが高くなることにより、ディスクの傾きに対するマージンが小さくなる。このマージンは、光透過層の厚さを薄くすることによって、広げることが可能となる。また、光透過層の厚さを薄くする方法として、キャスティング法で作製された樹脂フイルムを、ＵＶ接着剤やアクリル粘着剤によって、情報記録層上に貼り合わせる方法が提案されている。
【０００９】
図８に、従来の光情報記録媒体１０の構成図を示す。光情報記録媒体１０は、情報記録用の溝が形成された基板１１とその溝上に情報記録層１２が形成され、接着層１３で情報記録層１２と樹脂フイルムからなる光透過層１４を接着している。情報記録層１２を、例えば１回のみ記録可能とすることでライトワンス記録媒体が作成できる。このライトワンス記録媒体は、情報記録層１２の反射率をレーザ光によって変化させることにより実現している。また、光透過層１４の厚さを薄くすることによって、チルトマージンが広がり、高密度記録を達成できる。
【００１０】
さらに、近年、セキュリティ上の問題から、光情報記録媒体に個々の識別情報を記録することが行われている（例えば、特許文献３参照）。メディアＩＤなどの個別情報を光情報記録媒体に追加記録する場合、ディスクの内周側の半径２２．３ｍｍから２３．５ｍｍ（ＤＶＤ規格の場合）の範囲に、ＢＣＡ（Ｂｕｒｓｔ  Ｃｕｔｔｉｎｇ  Ａｒｅａ）と呼ぶバーコード状のストライプ列を高パワーのレーザで追記形成することによって、情報記録層１２を破壊し、ディスクＩＤなどを記録している。ＢＣＡに関しては、ＤＶＤのＲＯＭディスクのように反射膜にアルミディスクを持つディスクへも適用可能であり、さまざまな用途が提案されている。容量としては、１８８バイトと、記録データに比べて極めて小容量で、ストライプの間隔が１０μｍ以上でも、ディスク１回転で十分収まるように構成されている。また、ＢＣＡによって追記される個別情報は、小容量であっても用途上重要な情報となるので、改ざんが困難であることが必要である。
【特許文献１】特開平８−２３５６３８号公報
【特許文献２】特開平１０−２８３６８３号公報
【特許文献３】特開平１１−１６２０３１号公報
【発明の開示】
【００１１】
通常、ライトワンス記録を実現しようとすると、ライトワンス用の記録層を設けなくてはならない。この記録層は、相変化材料で構成する方法と有機色素で構成する方法がある。
【００１２】
相変化材料を用いた場合は、反射膜、保護膜、相変化膜などをスパッタリング法により積層して構成する。この方法には、以下の課題がある。
【００１３】
（１）記録層が多層構造になるため、作製が難しい
（２）成膜装置、材料コストが高くなる
有機色素を用いた場合は、有機色素をスピンコート法によってディスク上に塗布し、その後、スパッタリング法によって反射膜を構成する。この方法には、以下の課題がある。
【００１４】
（１）スピンコート法による膜厚制御が難しい
（２）材料コストが高い
さらに、ＢＣＡストライプに関して、ＢＣＡストライプはトラッキングオフ状態で読み取ることを前提としており、光ヘッドや光ディスク装置機構の誤差マージンの関係から、長さを短くすることができない。したがって、ＢＣＡのストライプで個別情報を記録しようとすると、記録可能な領域から多くの割合の面積を、ＢＣＡストライプの記録に割り当てる必要があるため、記録に使える面積が減り、特に高密度記録可能な記録膜にあっては、記録容量が著しく減ってしまうという問題点があった。
【００１５】
本発明は、従来の問題に鑑みて提案されたものであり、低コストで高密度な光情報記録媒体及び記録再生方法を提供することを目的とする。
【００１６】
上記課題を解決するための本発明の光情報記録媒体は、基板と基板上に形成された光透過層とを有し、光透過層は、記録光を照射されると透過率が変化することを特徴とする。
【００１７】
これにより、従来の情報記録層を設けずに情報を記録・再生することが可能となり、低コストで容易に媒体を作成可能となる。
【００１８】
また、本発明の光情報記録媒体は、基板と光透過層との間には光吸収層を構成することが好ましい。従来よりもハイパワーな記録光が必要なため、その熱を吸収させるためである。
【００１９】
本発明の光情報記録媒体においては、記録光の照射による光透過層の透過率変化が、不可逆変化であり、再生光又は記録再生光の透過を下げる方向に変化することを特徴とする。これにより、ライトワンス記録に適した媒体となる。
【００２０】
本発明の光情報記録媒体においては、光透過層の材料がポリカーボネート樹脂、又はアクリル樹脂、又はポリオフィン樹脂から構成される樹脂シートを含んで構成されることが好ましい。
【００２１】
また、光透過層が樹脂シートを接着するための接着樹脂をさらに有することが好ましい。この場合は、接着樹脂として記録光によって透過率が低下する材料を選ぶことができる。
【００２２】
さらに、接着樹脂の材料が、ＵＶ硬化性樹脂、またはアクリル系粘着剤で構成されることが好ましい。
【００２３】
また、光透過層が１層以上のＵＶ硬化性樹脂からなることが好ましい。この場合は、低コストで高密度な光情報記録媒体を容易に作成可能となる。
【００２４】
さらに、本発明の光情報記録媒体においては、透過率変化領域が、ユーザデータ領域以外の領域に少なくとも１箇所以上構成されることを特徴としており、また、透過率変化領域が、ユーザデータ領域よりも内側又は外側、又は内外両方に構成されることを特徴とする。これにより、ＢＣＡ領域の記録にも対応可能となる。
【００２５】
上記課題を解決するための本発明の光情報記録媒体の記録・再生方法は、光透過層の上部より変調した記録光を照射し、光透過層の透過率を変化させることにより情報を記録し、その透過率の変化から情報を再生することを特徴とする。さらに光透過層の透過率変化を不可逆に変化させ、その透過率変化領域は、ユーザデータ領域以外の少なくとも１箇所以上の領域において記録、再生されることを特徴とする。これにより、記録層を設けずに情報を記録・再生することが可能となり、低コスト化を図ることができる。
【００２６】
上記課題を解決するための本発明の光情報記録媒体の記録・再生装置は、光透過層の上部より変調した記録光を照射し、光透過層の透過率を変化させることにより情報を記録し、透過率の変化から情報を再生することを特徴とする。
【００２７】
本発明の光情報記録媒体の記録・再生装置は、基板と、情報記録層を有する第１記録領域と、光透過層を有する第２記録領域とを有する光情報記録媒体に用いられ、記録光を第１記録領域と第２記録領域とに照射可能な光照射手段と、光照射手段の記録モードを第１記録領域と第２記録領域とで切り替える切り替え手段とを有している。これにより、複数の記録領域を有する光情報記録媒体に対して一つの装置で記録・再生ができるため、低コスト化を図ることができる。
【００２８】
以上説明したように、本発明の光情報記録媒体によれば、情報記録層を必要とせずに情報の記録・再生が可能なため、低コストで高密度な媒体を容易に量産可能である。
【発明を実施するための最良の形態】
【００２９】
本発明の光情報記録媒体は、基板上に光透過層を有し、情報の記録は、記録光を照射することにより光透過層の透過率が変化することを利用して行われる。従来あった情報記録層を設けずに情報を記録・再生することが可能となり、低コストで容易に媒体を作成可能となる。光透過層は、カバー層（シート）と接着樹脂からなる接着層から成り、透過率が変化するのは、接着層部分においてである。
【００３０】
光透過層の透過率を低下させて情報を記録する方法は、ユーザデータ以外のデータ（媒体の識別情報など）を記録する領域に特に適しているが、ユーザデータを記録する領域にも適用できる。
【００３１】
また、本発明の光情報記録媒体には、基板と光透過層との間には光吸収層が設けられてもよい。光吸収層は従来の反射膜の役割も果たし、従来よりもハイパワーな記録光を使用することにより発生する熱を吸収し、余分な熱の作用を低減する。
【００３２】
以下、図面を参照しながら本発明の実施形態について説明する。
【００３３】
［第１実施形態］
図１に、本発明の一実施形態としての光情報記録媒体２０を示す。光情報記録媒体２０は、光透過層の透過率を変化させることでライトワンス記録を行うものである。つまり、光情報記録媒体２０は従来の情報記録層を有していない。
【００３４】
光情報記録媒体２０において、溝又はピット、又は溝とピットを形成した基板２１の一面に光吸収層２２を設け、さらに光吸収層２２の一面に光透過層２３を設けている。
【００３５】
基板２１として、ポリカーボネート樹脂を用いて射出成型し、スパイラル状の溝を持った直径１２０ｍｍ、中心径１５ｍｍのポリカーボネート基板を作製した。光吸収層２２は、基板２１上にスパッタリング装置によって、２０ｎｍの厚さになるように作製した。その後、高ＮＡレンズを用いた高密度記録に対応するため、厚さ１００μｍの光透過層２３を形成した。光透過層２３は、ポリアクリレート系の樹脂接着剤を厚さ２５μｍの接着層として用いて、ポリカーボネート樹脂材料からなる厚さ７５μｍのシートを、光吸収層２２が成膜された上に接着することで作製した。
【００３６】
この際の接着剤として、アクリル酸エステル共重合体と光硬化成分の架橋物からなる接着剤を用いる。この時、アクリル酸エステル共重合体とは、アクリル酸エステル誘導体を主成分とした共重合体を示しており、他のモノマーを共重合してもよい。例えば、アクリル酸エステルとして、アクリル酸メチルやアクリル酸メチルのメチル基をエチル基・ブチル基・イソブチル基などに変更してもよく、これらを数種類組み合わせて作製できる。さらに、アクリル酸エステルと共重合される他のモノマーとして、例えば、アクリル酸、クロトン酸、マレイン酸、アクリロニトリル、酢酸ビニル等を用いてもよい。このときに、接着剤の硬化成分としては、分子内に不飽和基を有し、紫外線硬化がおこる平均分子量が２万以下のオリゴマーやモノマーを用いる。例えば、アクリレート系の材料、中でもトリメチロールプロパントリアクリレート、ポリウレタンアクリレート、ポリエステルアクリレート、ポリエーテルアクリレート、エポキシアクリレート等など用いることができる。光情報記録媒体２０では、アクリル酸メチルとトリメチロールプロパントリアクリレートを用いた接着剤を使用した。
【００３７】
（実施例１）
光情報記録媒体２０を用いて、記録光の照射によって光透過層の透過率を変化させることによって、情報の記録が可能であることを確かめるための実験を行った。
【００３８】
簡易に記録動作を確認するため、光情報記録媒体２０に、遮光となる金属のマスクを用いて、記録レーザの光が当たらない領域を意図的に作製した。その後、光情報記録媒体２０に全体的に波長２５０ｎｍの記録用ＵＶ光を照射し、波長４０５ｎｍのレーザを用いて再生した。図２は、そのときの反射光量の差をオシロスコープで測定した結果を示している。光情報記録媒体２０に、記録用ＵＶ光を照射すると、マスク領域と遮光していない領域とで状態の変化が見られる。これは、光透過層２３の透過率の違いによって生じている。透過率変化は、約２％以上あれば本発明を実施可能である。遮光していない領域では、マスク領域に比べて、再生レーザ光の反射光量が低下している。つまり、遮光していない領域が図におけるＬｏｗであり、マスク領域が図におけるＨｉｇｈである。
【００３９】
この透過率の変化は、遮光していない領域では、光透過層２３に熱的ダメージが与えられることで生じている。特に、記録光による熱が光吸収層２２によって吸収されることで熱的ダメージが大きくなっている。この時、遮光していない領域では、架橋した分子の切断が起こっていると想定できる。詳しくは光透過層２３の樹脂接着剤の成分である、アクリル酸エステル共重合体中のカルボキシル基や水酸基などの官能基と、不飽和基（例えばアクリロイル基）の架橋がレーザ光により、切断されたため、透過率の変化が起こる。
【００４０】
従って、従来の光情報記録媒体１０にあるような特別な記録情報を蓄える層を用いることなく、光情報記録媒体に記録が可能となる。
【００４１】
（実施例２）
図２で説明したように記録した本発明の光情報記録媒体２０において、透過率の変化が不可逆なものであることを確かめるための実験を行った。この試験において、アレニウスプロットにより光情報記録媒体２０が約１０〜２０年経過した場合と等価になるように各媒体Ｎｏ．１〜３の条件を設定しており、９０℃８０％の環境下で１００時間放置した。
（表１）
2005045818.tif 000011
表１は、耐候性試験前後での媒体２０の反射率の変化を示している。反射率Ｈｉは、図２で示した透過率が変化していない領域の反射率、Ｌｏｗは、透過率を変化させた領域の反射率を表している。表１より、試験前と後で、各媒体のＨｉとＬｏｗの値はほとんど変化していないことがわかる。このことより、光透過層２３の透過率の低下は、不可逆な変化で起こっており、ライトワンス記録となることがわかる。
【００４２】
この実施形態の説明では記録用ＵＶ光を記録に用いたが、ＵＶ光はマスクで微細な情報を記録することは困難を要する。そのため、以上の実施形態は、数μｍの程度の大きさの情報記録に適している。
［第２実施形態］
図３（ａ）、（ｂ）に、光情報記録媒体２０に対して、マスクなしで微細なマークを記録した結果を示す。図３（ａ）は、光情報記録媒体２０にデータを記録した状態を模式的に表したものである。ユーザデータ領域４１の内周側には、ユーザデータ以外のデータ（例えば個別情報）を記録する領域４２が形成されている。図においては、領域４２に、マークからなる記録データ４３が記録されている。光透過層２３として、ポリカーボネートシートとポリアクリレート系の樹脂接着剤を用いた。このとき、ポリアクリレート系の樹脂接着剤の透過率の波長依存性が４００ｎｍ付近から急激に透過率が低下するように、アクリレートの官能基、重合度を変更している。図３（ｂ）は、記録用レーザ波長４０５ｎｍを用いて、線速０．５ｍ／ｓ、記録パワー１０ｍＷの記録条件により、光情報記録媒体２０にマーク長５ｕｍの記録データ４３を記録した後、線速５ｍ／ｓ、再生パワー０．３ｍＷで、記録データ４３を再生したオシロスコープの波形である。波形から、記録と再生で同じレーザ光を使用できることがわかる。このときのキャリアとノイズ比Ｃ／Ｎは、６０ｄＢと十分な信号を得ることができた。
【００４３】
マークからなる記録データは、ユーザデータ領域４１にも同様に記録・再生できる。
本実施形態では、光透過層２３の材料は、ポリカーボネートシートとポリアクリレート系の樹脂接着剤の組み合わせを用いたが、これに限定されるわけではなく、ポリカーボネートシートの変わりに、アクリル系樹脂シート、ポリオレフィン系樹脂シートとの組み合わせにおいても同様の結果が得られる。
【００４４】
また、接着剤においても、ポリアクリレート系に限定されるわけではなく、ＵＶ硬化樹脂、又はＵＶ硬化樹脂を含む接着剤を用いても同様の結果が得られた。
［第３実施形態］
さらに、光透過層２３をスピンコート法によって、ＵＶ樹脂を用いて１００μｍの膜厚で作製したところ、図３（ｂ）で得られた変調率よりも若干低下するが、同様の結果が得られた。これは、ＵＶ樹脂の厚膜が熱に対して安定性が良いため、シートと接着剤で構成した光透過層２３よりも透過率の変化が小さくなるためである。
【００４５】
また、このＵＶ樹脂の上にＵＶ樹脂からなるハードコート層を構成しても結果は同じであった。
［第４実施形態］
本発明は、光透過層２３によって、記録再生が確立できることから、従来の光情報記録媒体１０上に、光透過層２３を設けるだけで、ライトワンス記録とリライタブル記録が可能となる。ここでいう従来の光情報記録媒体とは、ユーザデータ領域に相変化記録層等からなる情報記録層を有する構造である。そのためメディアＩＤや、他のメーカ独自情報などは、ユーザデータ領域以外の光透過層２３の透過率を変化させてライトワンス記録することになる。ここで、光吸収層は、本発明におけるハイパワーな記録光に対応するため設けたが、従来の反射膜の役割も果たしている。
【００４６】
図４に、本実施形態の光情報記録媒体５０の各領域の概略図を示す。光記録情報媒体５０は、ユーザデータ領域５１と、ユーザデータ以外のデータを記録するための領域５２を有している。ユーザデータ領域５１には情報記録層や光透過層が形成されている。領域５２は、記録媒体５０のＲ１からＲ２の範囲であり、少なくとも光透過層が形成されている。領域５２に記録する際の記録レーザ光の記録条件は、線速度１ｍ／ｓ、ボトムパワー０．１ｍＷ、バイアスパワー２ｍＷとし、記録のピークパワーを１１ｍＷとした。このように大きなパワーを用いることで、光透過層の透過率を変化させた。ユーザデータ領域５１の記録は、線速度５ｍ／ｓ、ボトムパワー０．３ｍＷ、バイアスパワー３ｍＷ、記録ピークパワー６．２ｍＷとなっていた。そのため、相変化記録層では相変化が生じたが、光透過層では透過率は変化しなかった。このように、記録再生装置のモードを領域ごとに切り換えることによって各領域後に記録条件を異ならせた。
【００４７】
この記録情報は、個別情報を想定した。個別情報は、ディスク１枚ずつに固有もしくはほぼ固有の情報と光ディスクに共通する基本情報などの集合であるが、ここではディスクＩＤを個別情報の代表として説明する。ディスクＩＤは、光ディスク上に記録する映像、音声、データなど著作権を保護する目的で、他の鍵情報などと併せて用いて、例えば１回コピー可能な著作物を、ディスクＩＤなどに基づいて光ディスク１枚ごとに異なった、暗号化記録するために使うものである。
【００４８】
通常の記録レーザ光を用いて、その記録条件のみを変更することで記録が可能な本発明の光情報記録媒体２０は、従来のライトワンスの記録と違い、高密度化が可能となるため、同じデータ量であれば、使用する領域が少なくてよい。従って、ユーザデータ領域５１をより多く取れることから、例えばユーザデータ領域５１が少ない小径な記録媒体でも対応が可能となる。また、ディスクＩＤなどの重要な情報を記録する場合、データの破損など信頼性の観点から、外周領域に記録領域を構成することも考えられ、本発明の光情報記録媒体２０では、記録領域が少なくてすむため、内周・外周領域両方に配置することも可能となる。
［第５実施形態］
図５に、本発明の光情報記録媒体６１に記録する際の記録再生装置の概略図を示す。光情報記録媒体６１は、例えば第１実施形態や第２実施形態で示したような情報記録層を有さないライトワンス媒体である。ドライブコントローラ６５により、駆動部６４、ピックアップ制御部６６が制御され、書き込み情報６８が信号処理部６７で変調される。その後、光ピックアップ６２により、レーザが照射され記録をすることができる。このとき、光透過層２３の透過率を変化させるため、従来よりもハイパワーな記録光で書き込みを行うことにより、記録が可能となる。再生時は、光ピックアップ６２により、トラッキングを行いながら、再生信号を信号処理部６７で復調し、再生情報を取り出す。
［第６実施形態］
図６に、本発明の光情報記録媒体７１にディスクＩＤを記録する際の記録再生装置の概略図を示す。光情報記録媒体７１は、例えば第４実施形態で示したような情報記録層を有するリライタブル媒体である。ディスクＩＤ書き込み情報８０が、ＩＤ信号処理部７９で変調され、光情報記録媒体７１に記録される。このとき、信号処理部７７とは別のＩＤ専用の信号処理部７９により信号を処理する。図示しない制御部がディスクＩＤ信号処理部７９と信号処理部７７を制御することで記録モードを切り替え可能である。
【００４９】
本発明の記録再生装置によれば、図４に示したような異なる記録方法が用いられる複数の記録領域を有する場合に、領域ごとに記録モードを切り替え可能であり、媒体作成の低コスト化に貢献する。
［第７実施形態］
図７において、基板２１に直接光透過層２３が形成された光情報記録媒体２０の構造を示す。この場合、吸収層が省略されているが、本発明の有利な効果は十分に得られる。
［他の実施形態］
以上、本発明の実施形態について例をあげて説明したが、本発明は、上記実施形態に限定されず、本発明の技術的思想に基づき他の実施形態に適用することができる。例えば、記録再生媒体、ライトワンス媒体、ＲＯＭ媒体等を問わず、ライトワンス記録を行うことができる。
【産業上の利用可能性】
【００５０】
本発明にかかる光情報記録媒体、光情報記録媒体の記録再生方法および記録再生装置は、情報記録層を使用しない情報の記録・再生に対応可能なため、低コストで高密度な光情報記録媒体や光情報記録媒体の記録再生方法等に有用である。
【図面の簡単な説明】
【００５１】
【図１】本発明による光情報記録媒体の構成図
【図２】本発明による光情報記録媒体の信号評価図
【図３】（ａ）本発明による光情報記録媒体のディスクＩＤ概略図、（ｂ）本発明による光情報記録媒体の信号評価図
【図４】本発明による光情報記録媒体のディスクＩＤ概略図
【図５】本発明による光情報記録媒体の記録方法概略図
【図６】本発明による光情報記録媒体のディスクＩＤの記録方法概略図
【図７】本発明の変形例による光情報記録媒体の構成図
【図８】従来の光情報記録媒体の構成図
【符号の説明】
【００５２】
１０    光情報記録媒体
１１    基板
１２    情報記録層
１３    接着層
１４    光透過層
２０    光情報記録媒体
２１    基板
２２    光吸収層
２３    光透過層
４１、５１    ユーザデータ領域
４２、５２    ユーザデータ以外のデータ領域
４３    記録データ
５２    光情報記録媒体
６１    光情報記録媒体
６２    光ピックアップ
６３    モータ
６４    駆動部
６５    ドライブコントローラ
６６    ピックアップ制御部
６７    信号処理部
６８    書き込み情報
７１    光情報記録媒体
７２    光ピックアップ
７３    モータ
７４    駆動部
７５    ドライブコントローラ
７６    ピックアップ制御部
７７    信号処理部
７８    書き込み情報
７９    ディスクＩＤ信号処理部
８０    ディスクＩＤ書込み情報
【手続補正３】
【補正対象書類名】図面
【補正対象項目名】全図
【補正方法】変更
【補正の内容】
【図１】
2005045818.tif 000012
【図２】
2005045818.tif 000013
【図３】
2005045818.tif 000014
【図４】
2005045818.tif 000015
【図５】
2005045818.tif 000016
【図６】
2005045818.tif 000017
【図７】
2005045818.tif 000018
【図８】
2005045818.tif 000019
【国際調査報告】
2005045818.tif 000020
2005045818.tif 000021
2005045818.tif 000022
2005045818.tif 000023